(57)【要約】【課題】  変倍における操作性の向上と変倍機構の小型化を両立することが可能な撮像装置及び方法を提供する。【解決手段】  変倍機能を有して被写体を撮影する撮像装置であって、前記変倍機能の変倍速度を選択するための操作手段と、当該操作手段の操作量を検出する操作量検出手段と、前記操作量検出手段が検出した前記操作量に対応して前記変倍速度を算出する変倍速度算出手段と、前記変倍速度算出手段が算出した前記変倍速度の頻度を累積的に算出する頻度算出手段とを有し、当該頻度算出手段が算出した前記頻度に基づいて前記変倍速度に対する前記操作量は変更可能に構成されていることを特徴とする撮像装置を提供する。【選択図】      図１
2005176014.tif 000002
【特許請求の範囲】
【請求項１】
変倍機能を有して被写体を撮影する撮像装置であって、
前記変倍機能の変倍速度を選択するための操作手段と、
当該操作手段の操作量を検出する操作量検出手段と、
前記操作量検出手段が検出した前記操作量に対応して前記変倍速度を算出する変倍速度算出手段と、
前記変倍速度算出手段が算出した前記変倍速度の頻度を累積的に算出する頻度算出手段とを有し、
当該頻度算出手段が算出した前記頻度に基づいて前記変倍速度に対する前記操作量は変更可能に構成されていることを特徴とする撮像装置。
【請求項２】
前記撮像装置は、前記被写体を撮像する前記変倍機構を備えた撮像レンズを更に有し、
前記変倍機能は前記撮像レンズを駆動するか、前記撮像レンズが撮影した光学像に対応するデータを電子的に変倍することを特徴とする請求項１記載の撮像装置。
【請求項３】
前記頻度の増加と共に前記変倍速度の選択領域が広がるように前記操作量を変更することを特徴とする請求項１又は２記載の撮像装置。
【請求項４】
前記頻度算出手段は、前記被写体を撮像する記録時と前記被写体を撮像しない非記録時に分けて前記頻度を算出することを特徴とする請求項１乃至３のうちいずれか一項記載の撮像装置。
【請求項５】
前記頻度算出手段は、前記変倍速度を絶対値化して前記頻度を算出することを特徴とする請求項１乃至４のうちいずれか一項記載の撮像装置。
【請求項６】
前記頻度算出手段が累積的に算出した前記頻度をリセットする手段を更に有することを特徴とする請求項１乃至４のうちいずれか一項記載の撮像装置。
【請求項７】
前記撮像装置は、前記被写体を撮影する複数の種類の交換可能な撮影レンズを更に有し、
前記頻度算出手段は、撮影レンズの前記種類毎に設けられることを特徴とする請求項１記載の撮像装置。
【請求項８】
変倍機能を有して被写体を撮影する撮像装置を利用した撮影方法であって、
前記変倍機能の変倍速度と、当該変倍速度を選択するための操作量との関係を予め設定するステップと、
前記変倍速度が選択される頻度を累積的に算出するステップと、
前記頻度に基づいて前記関係を変更するステップとを有することを特徴とする方法。
【請求項９】
累積的に算出した前記頻度をリセットするステップを更に有することを特徴とする請求項８記載の方法。
【請求項１０】
前記撮像装置は、前記被写体を撮影する撮影レンズを有し、
前記リセットステップは、前記撮影レンズの交換又は変更に応答して実行されることを特徴とする請求項９記載の方法。
【請求項１１】
前記撮像装置は、前記被写体を撮影する複数の種類の撮影レンズを交換可能に有し、
前記方法は、
前記撮影レンズの種類と前記頻度とを対応付けて記憶するステップと、
前記撮影レンズが交換された場合に、前記変更ステップは前記記憶ステップが記憶する、前記交換された撮影レンズに対応する前記頻度に基づいて前記関係を変更することを特徴とする請求項８記載の方法。
【請求項１２】
前記撮像装置は、前記被写体を撮影する撮影レンズを有し、
前記リセットステップは、前記撮像装置のユーザの操作に応答して実行されることを特徴とする請求項９記載の方法。
【発明の詳細な説明】
【技術分野】
【０００１】
本発明は、一般には、撮像装置及び方法に係り、特に、撮像装置の変倍調整に関する。
【背景技術】
【０００２】
近年のビデオカメラやデジタルカメラなどの撮像装置の普及に伴って撮像装置には小型軽量化と共に操作性の向上がますます要求されるようになってきている。かかる要求に応えるために、各構成要素は一層の小型軽量化が図られ、また、操作性については、あらゆる点で制御の自動化が図られて良好な撮影が容易に行えるようになっている。自動化された機能の代表例としては、レンズの焦点距離を可変にすることにより、画像の変倍（ズーム）を行う変倍操作の電動化が挙げられる。
【０００３】
従来の変倍機構においては、操作部は、典型的に、シーソー型操作キー（例えば、スイッチ）や回転型操作キー（例えば、くし歯歯車とフォトインタラプタを使用した回転リング）を使用する。通常、操作量はズーム速度（変倍レンズを駆動するアクチュエータを駆動する駆動量又は駆動速度）に変換され、操作量とズーム速度は、例えば、図１３に示すような関係を有する。このような変換は、操作量に応じ一意的に変倍レンズの駆動量を決定するのではなく、操作量が小さい場合は駆動量をより小さく、反対に大きい場合にはより大きな駆動量とするような非線形の処理を実施するのに便宜である。
【０００４】
従来技術としては、例えば、特許文献１がある。
【特許文献１】特開平５−２１２５号公報
【発明の開示】
【発明が解決しようとする課題】
【０００５】
しかし、構成要素（操作キー）の小型化により所望の変倍を得るのに必要な操作量（例えば、スイッチの傾きや回転リングの回転角）は益々小さくなり、微小なキー操作によるズーム速度の切り替わりが従来よりも大きくなった。これにより、ユーザの操作感が悪化すると共に所望の変倍を得るための微小なキー操作を直ちに行うことは困難になり、操作性が悪化してきた。特に、ユーザが連続して操作を行う場合に所望の変倍を取得することは困難になってきた。
【０００６】
そこで、本発明は、変倍における操作性の向上と変倍機構の小型化を両立することが可能な撮像装置及び方法を提供することを例示的目的とする。
【課題を解決するための手段】
【０００７】
本発明の一側面としての撮像装置は、変倍機能を有して被写体を撮影する撮像装置であって、前記変倍機能の変倍速度を選択するための操作手段と、当該操作手段の操作量を検出する操作量検出手段と、前記操作量検出手段が検出した前記操作量に対応して前記変倍速度を算出する変倍速度算出手段と、前記変倍速度算出手段が算出した前記変倍速度の頻度を累積的に算出する頻度算出手段とを有し、当該頻度算出手段が算出した前記頻度に基づいて前記変倍速度に対する前記操作量は変更可能に構成されていることを特徴とする。
【０００８】
前記撮像装置は、前記被写体を撮像する前記変倍機構を備えた撮像レンズを更に有し、前記変倍機能は前記撮像レンズを駆動してもよいし（光学ズーム）、前記撮像レンズが撮影した光学像に対応するデータを電子的に変倍してもよい（電子ズーム）。前記頻度の増加と共に前記変倍速度の選択領域が広がるように前記操作量を変更してもよい。前記頻度算出手段は、前記被写体を撮像する記録時と前記被写体を撮像しない非記録時に分けたり、及び／又は、前記変倍速度を絶対値化したりして、前記頻度を算出してもよい。
【０００９】
前記撮像装置は、前記頻度算出手段が累積的に算出した前記頻度をリセットする手段を更に有してもよい。また、前記撮像装置は、前記被写体を撮影する複数の種類の交換可能な撮影レンズを更に有し、前記頻度算出手段は、撮影レンズの前記種類毎に設けられてもよい。
【００１０】
本発明の別の側面としての撮影方法は、変倍機能を有して被写体を撮影する撮像装置を利用した撮影方法であって、前記変倍機能の変倍速度と、当該変倍速度を選択するための操作量との関係を予め設定するステップと、前記変倍速度が選択される頻度を累積的に算出するステップと、前記頻度に基づいて前記関係を変更するステップとを有することを特徴とする。前記方法は、累積的に算出した前記頻度をリセットするステップを更に有してもよい。
【００１１】
前記撮像装置は、前記被写体を撮影する撮影レンズを有し、前記リセットステップは、前記撮像装置のユーザの操作、若しくは、前記撮影レンズの交換又は変更に応答して実行されてもよい。
【００１２】
前記撮像装置は、前記被写体を撮影する複数の種類の撮影レンズを交換可能に有し、前記方法は、前記撮影レンズの種類と前記頻度とを対応付けて記憶するステップと、前記撮影レンズが交換された場合に、前記変更ステップは前記記憶ステップが記憶する、前記交換された撮影レンズに対応する前記頻度に基づいて前記関係を変更してもよい。
【００１３】
本発明の更なる目的又はその他の特徴は、以下、添付図面を参照して説明される好ましい実施形態によって明らかにされるであろう。
【発明の効果】
【００１４】
本発明によれば、変倍における操作性の向上と変倍機構の小型化を両立することが可能な撮像装置及び方法を提供する。
【発明を実施するための最良の形態】
【００１５】
以下、本発明の実施例の撮像装置を添付図面を参照して説明する。
【実施例１】
【００１６】
図１は本発明の第一の実施例の撮像装置１００の構成を示すブロック図である。撮像装置１００は、同図に示すように、操作手段１１０、操作量検出回路１２０、ズーム速度算出手段１２２、頻度算出回路１２４、駆動回路１３０、アクチュエータ１３２、撮像レンズ１４０、ＣＣＤ１５０、信号処理回路１５２及び記録手段１５６を有する。
【００１７】
操作手段１１０は、スイッチやボリュームといった電気素子である。図２及び図３に操作手段１１０の一例を示す。
【００１８】
図２（ａ）及び図２（ｂ）に、スイッチ１１０Ａは、シーソー型２つの操作部を中央の支点で支えることにより構成されるいわゆるシーソー型操作手段の概略側面図を示す。また、図２（ｃ）にスイッチ１１０Ａが操作された場合のか移転角度と抵抗値との関係を示す。
【００１９】
図２（ａ）において、１１１はシーソー型操作キーであり、キー中央部の支点１１２により支えられて、撮影者により操作される。１１２はボリューム（ＶＲ）であり、操作キー１１１の支点にあたる中央部分にそのＶＲ軸が固定されている。１１３及び１１４はバネであり、不図示の固定部材と操作キー１１１の両端の間に固定されている。
【００２０】
操作キー１１１を操作しないときには、図２（ａ）に示すように、操作キー１１１は平行となるようにバネ１１３及び１１４のバネ定数を設定している。また、この時、ＶＲ１１２の抵抗値は図２（ｃ）のａ点に示すように中央の抵抗値となっている。
【００２１】
ここで、操作キー１１１を、図２（ｂ）に示すように、Ｔ側に押し込むと、それに伴い、図２（ｃ）に示すように、ＶＲ１１２の値が変化して抵抗値はｂ点の値となる。従って、ＶＲ１１２の両端に電圧を印可すれば、ＶＲ中点より回転角に対する抵抗値変化を電圧変化として取り出すことができ、その電圧に基づいて操作キー１１１の回転角度を得ることができる。電圧と平衡状態である電圧（基準電圧）との差を求めることにより、中立では０、傾けたときには符号つきの傾きに応じた値、即ち、操作量が得られる。
【００２２】
図３（ａ）及び図３（ｂ）は、フォトインタラプタを用いた回転リング１１０Ｂの概略斜視図及び断面図である。また、図３（ｃ）は、図３（ｂ）に示す回転リング１１０Ｂのｅ点及びｆ点の時間とフォトインタラプタの出力との関係を示すグラフである。回転リング１１０Ｂは、スイッチ１１０Ａとは異なり、単位時間当たりの回転角である角速度を検出することにより操作量を求めることが一般的である。図３（ｂ）の１１５及び１１６は、それぞれ、フォトインタラプタであり、投光部と受光部が対向して配されている光学的検出手段である。
【００２３】
１１７はくし歯であり、回転リング１１０Ｂに固定され、回転リング１１０Ｂと共に回転する。くし歯１１７は、図３（ｂ）に示すように、歯のある部分と無い部分が同じピッチで繰り返して配されており、その繰り返しのくし歯１１７の配置に対し、フォトインタラプタ１１５及び１１６は、９０°＋３６０°×ｎ（ｎは整数、くし歯１１７の１歯を一周期３６０°とする）の関係で配置されている。くし歯１１７はフォトインタラプタ１１５及び１１６の投光部と受光部の間に配置されており、くし歯１１７の位置により受光部に投光部より投光された光が到達又は遮光される。
【００２４】
回転リング１１０Ｂを等速で一方向に回転させると、図３（ｃ）のe及びｆに示すような９０°位相が異なった出力がフォトインタラプタ１１５及び１１６から得られる。図３（ｃ）に示すｅ及びｆのパルスの立ち上がり及び立ち下がりのタイミングにより回転方向が、また、単位時間あたりのパルスの変化数により回転速度である操作量がそれぞれ得られる。例えば、ロジック回路と、タイマー・カウンタを組み合わせることにより、前述の符号つきの回転速度、即ち、角速度に変換可能であるが、ここでは詳細な説明は省略する。
【００２５】
操作量検出回路１２０は、操作手段１１０によって得た電気信号から変位量や速度（即ち、操作量）を検出する。ズーム速度算出手段１２２は、操作量検出回路１２０が検出した操作量をアクチュエータ１３２を駆動するための駆動量又は駆動速度に変換する。変換はルックアップテーブルや演算式を使用することができる。
【００２６】
頻度算出回路１２４は、ズーム速度算出手段１２２より得られたズーム速度の頻度を求め、その頻度に応じてズーム速度算出手段１２２の特性、即ち、操作手段の操作量に対するレンズの駆動速度を変更する。なお、実際に変更するのはズーム速度算出手段１２２であっても頻度算出回路１２４であってもよい。
【００２７】
例えば、デフォルト状態では、図１３に示す操作量と変倍速度の関係が設定されており、図４に示すような撮像時のズーム速度の選択頻度分布があった場合について考える。図４において、横軸は撮影時に選択された操作手段１１０の操作量により決定されたズーム速度算出手段１２２の出力である駆動速度であり、縦軸は単位時間あたりの選択頻度である。同図から理解されるように、焦点距離の大きい方向（プラス側）の＋５の速度の選択が一番多く、続いて−５、＋２、−２…の頻度で選択されている。
【００２８】
ここで、ズーム速度算出手段１２２の変換特性を、例えば、図５に示すように、操作手段１１０の操作量に対する変倍速度の選択特性を選択頻度に応じて変更する。特性の変更とは、例えば、図４に示す選択頻度分布から、操作手段１１０の操作量における＋５、−５、＋２、−２の領域を広く取り、残りの領域に関してはその分狭くする。
【００２９】
この時の変更処理を図６に示す。ここで、図６は変更処理を示すフローチャートである。まず、操作量検出回路１２０が、操作手段１１０の操作量を読み取る（ステップＳ１１）。次に、ズーム速度算出回路１２２が変倍速度を操作量より得られる値と前回更新された速度エリアに基づいて決定する（ステップＳ１２）。次に、アクチュエータ１３２を選択された駆動速度により動作させる（ステップＳ１３）。次に、選択された速度をヒストグラムに反映させ、ヒストグラムを演算及び更新する（ステップＳ１４）。なお、ヒストグラムの更新は毎回行わなくてもよい。次に、得られた上記ヒストグラムの速度の頻度の大小を判定する（ステップＳ１５）。次に、ヒストグラム頻度の大小判定結果に基づき、速度エリアの閾値を変更する（ステップＳ１６）。これにより、操作手段１１０の操作量に対する変倍速度の特性が変化する。
【００３０】
駆動回路１３０は、ズーム速度算出手段１２２によって算出された駆動量に基づき所定の駆動信号、駆動電力を出力する。アクチュエータ１３２は、例えば、直流モータやステッピングモータである。アクチュエータ１３２が直流モータの場合は駆動回路１３０は駆動量に応じた直流電流を供給し、アクチュエータ１３２がステッピングモータの場合は駆動回路１３０は駆動量に応じた周波数のパルス信号を供給することにより撮像レンズ１４０を動作させる。撮像レンズ１４０は変倍レンズを含むものであり、アクチュエータ１３２により光軸方向に移動させられる。操作手段１１０の変位量又は回転量に一意的に決定される変倍速度にて撮像レンズ１４０が移動し、それに伴い像倍率が変化する。
【００３１】
ＣＣＤ１５０は光学像を電気信号に変換する撮像素子（光電変換素子）である。ＣＣＤ１５０と信号処理回路１５２の間には、ＣＣＤ１５０のアナログ信号をディジタル信号に変換する図示しないＡ／Ｄ変換部、これらにクロック信号や制御信号を供給するタイミング発生部が設けられている。信号処理回路１５２は、図示しないＡ／Ｄ変換部からのデータに対して所定の画素補間処理や色変換処理を行う。また、信号処理回路１５２は、撮像した画像データを用いて所定の演算処理を行い、ＴＴＬ（スルー・ザ・レンズ）方式のＡＦ（オートフォーカス）処理、ＡＥ（自動露出）処理、ＥＦ（フラッシュプリ発光）処理、ＴＴＬ方式のＡＷＢ（オートホワイトバランス）処理、画像データ内の輝度分布をヒストグラムとして作成する処理も行う。信号処理回路１５２は、例えば、ＣＣＤ１５０より得られる電気信号を標準ビデオ信号などに変換する。記録手段１５４は、画像データやビデオ信号を記録するためのハードディスクやテープレコーダなどの記録装置である。
【実施例２】
【００３２】
以下、本発明の第２の実施例の撮像装置１００Ａについて図７を参照して説明する。ここで、図７は、撮像装置１００Ａの概略ブロック図である。図７において、図１と同一の構成要素には同一の参照符号を付して重複説明は省略する。撮像装置１００Ａは、撮影時と非撮影時と２つの状態におけるヒストグラム及び速度閾値を有する。また、撮像装置１００Ａは、図１に示す構成要素に加えて、リセットスイッチ１２６と記録操作スイッチ１６０とを有する。
【００３３】
リセットスイッチ１２６は、更新されたヒストグラム、及び、速度エリアの閾値を初期状態（例えば、図１３に示す状態）に戻す。リセットスイッチ１２６は、例えば、撮像装置１００Ａを操作するユーザが変わった場合や、撮影するシーンや環境が変わった場合に操作され、それ以降、新たな頻度の累積を開始し、使用者や撮影状況に合致した特性に変更される。
【００３４】
記録操作スイッチ１６０は、記録手段１５４にその記録の開始及び停止を指示し、撮影者が所期の撮像画を撮影することを可能にする。また、記録操作スイッチ１６０は、頻度算出回路１２４の状態を変更する。即ち、頻度算出回路１２４は記録操作スイッチ１６０の記録開始又は禁止のそれぞれの状態に応じて頻度の算出を変更する。例えば、記録の開始、あるいは停止の状態による選択頻度分布を複数備え、それぞれの状態に応じそれぞれの選択頻度分布の更新を行うと同時に、それぞれのズーム速度算出をおこなう。
【００３５】
以下、図８を参照してかかる処理について説明する。ここで、図８は、撮像装置１００Ａの動作を説明するためのフローチャートである。まず、操作量検出回路１２０が、操作手段１１０の操作量を読み取る（ステップＳ２１）。次に、頻度算出回路１２４は、記録操作スイッチ３２４の操作状態より、記録中であるか、非記録中であるかを判断する（ステップＳ２２）。なお、かかる判断は別の制御部その他の構成要素が判断してもよい。ステップＳ２２において、記録時であると判断されると、ズーム速度算出回路１２２は、記録時の動作速度を操作量より得られる値と前回更新された記録時の速度エリアに基づいて決定する（ステップＳ２３）。次に、アクチュエータ１３２を選択された駆動速度により動作させる（ステップＳ２４）。次に、選択された速度を記録時のヒストグラムに反映させるため、ヒストグラムを演算・更新する（ステップＳ２５）。次に、得られたヒストグラムの速度の頻度の大小を判定する（ステップＳ２６）。次に、ヒストグラム頻度の大小判定結果に基づき、記録時の速度エリアの閾値を変更する（ステップＳ２７）。
【００３６】
一方、ステップＳ２２において、非記録時であると判断されると、ズーム速度算出回路１２２は、記録時の動作速度を操作量より得られる値と前回更新された記録時の速度エリアに基づいて決定する（ステップＳ２８）。次に、アクチュエータ１３２を選択された駆動速度により動作させる（ステップＳ２９）。次に、選択された速度を非記録時のヒストグラムに反映させるため、ヒストグラムを演算・更新する（ステップＳ３０）。次に、得られたヒストグラムの速度の頻度の大小を判定する（ステップＳ３１）。次に、ヒストグラム頻度の大小判定結果に基づき、非記録時の速度エリアの閾値を変更する（ステップＳ３２）。
【００３７】
以上の動作により、記録手段１５４の各記録状態において操作手段１１０の操作量に対する変倍速度の特性を変化させることができる。
【００３８】
本実施例は、記録時と非記録時における変倍速度に対する処理を分けている。これは、非記録時には画角を設定する、いわゆるフレーミングのためのズーム操作が行われるため、記録時とは異なった速度ヒストグラムが得られるからである。従って、本実施例のように、非記録時における変倍速度の選択値をヒストグラムに反映させないことも有効である。また、ヒストグラムを複数備えることにより、動画像の撮影時と静止画動画で切り替える、更には、焦点距離のテレ・ワイドでそれぞれ切り替えることも可能である。
【実施例３】
【００３９】
以下、本発明の第３の実施例の撮像装置１００Ｂについて図９を参照して説明する。ここで、図９は、撮像装置１００Ｂの概略ブロック図である。図９において、図１と同一の構成要素には同一の参照符号を付して重複説明は省略する。撮像装置１００Ｂは、特に、撮像レンズ１４０の交換に特徴を有する。
【００４０】
図９において、１４１は交換レンズのマウント部であり、レンズユニット（ＬＵ）とカメラユニット（ＣＵ）との接続点である。１７０は通信手段であり、レンズユニット（ＬＵ）とカメラユニット（ＣＵ）間のデータの送受信を行う。
ここで、撮像装置１００Ｂ本体の操作により撮像レンズ１４０を制御することを考えると、駆動する変倍速度に応じて、あらかじめ定められた所定の駆動データをＣＵよりＬＵに電送することにより、第一の実施例のように、撮像レンズの動作及びその速度ヒストグラムの形成が可能である。
【００４１】
更に、撮像装置１００Ｂは、ＬＵ側に設けられ、レンズ１４０の個別情報を格納するメモリ１３４と、ＣＵ側に設けられ、レンズ１４０の個別データを格納するメモリ１２８を備え、レンズ１４０を装着した時や撮像装置１００Ｂ自体の電源を投入したときにメモリ１３４よりレンズ個別情報がＣＵのメモリ１２８に格納されると共に前回装着されていたレンズ個別情報をリセット回路１２７に送出する。リセット回路１２７はメモリ１２８より転送された前回装着されていたレンズ個別情報と、新たに送られてきたレンズ個別情報との比較を行い、一致していた場合には頻度算出手段のヒストグラムをそのまま保持及び更新し、一致していなければ異なる光学レンズが取り付けられたとし、頻度算出手段１２４のヒストグラムを初期値、あるいは０に戻す。代替的に、レンズ個別情報に対応したヒストグラムの初期値を予め用意しておきその値に戻してもよい。
【００４２】
更に、撮像装置１００Ｂは複数の頻度算出手段１２４を備え、異なった複数の種類のレンズに対応する頻度情報をそれぞれ持ち、ＬＵより送られるレンズ個別情報に基づきそれを選択、採用してもよい。
【実施例４】
【００４３】
以下、本発明の第４の実施例の撮像装置１００Ｃについて図１０を参照して説明する。ここで、図１０は、撮像装置１００Ｃの概略ブロック図である。図１０において、図１と同一の構成要素には同一の参照符号を付して重複説明は省略する。撮像装置１００Ｃは、上述のような変倍光学系をもちいた構成と異なり、電気的な変倍手段、いわゆる電子ズームを備えている。
【００４４】
１２３は電子ズームの速度算出手段であり、操作量検出手段１２０により検出された操作量より、撮像素子の駆動方法や、カメラ信号処理等による画像の変倍速度を導き出す。１３６は撮像素子駆動回路であり、電子ズーム速度算出手段１２３によって算出された変倍量に基づき所定の駆動信号を出力する。電子ズームによる撮像画の拡大、縮小のプロセスについては当業界で周知のいかなる技術をも適用することができるので、ここでは詳しい説明は省略するが、一般には、ＣＣＤの駆動タイミングや、メモリを用いた撮像信号のタイミング変換などにより画像の拡大率を可変することができる。この拡大率の変化速度である電子ズームの速度の頻度を求め、更にズーム速度算出手段１２３の速度エリアの閾値を変更することにより、電子ズームの操作においても前記実施例と同様な効果を得ることができる。
【００４５】
また、レンズ１４０の前にレンズ１４０の倍率を変更可能なコンバージョンレンズ１４４を重ねて取り付けた場合においても、コンバージョンレンズの取り付け検出手段１２９よってそれを検出し、リセット回路１２７Ａにより得られた頻度を初期化してもよい。
【実施例５】
【００４６】
以下、本発明の第５の実施例の撮像装置について図１１を参照して説明する。ここで、図１１は、本実施例の撮像装置の動作を説明するためのフローチャートである。本実施例では、特に、ズーム速度の頻度を求める際に、焦点距離（あるいは拡大率）の増加方向（正方向）と減少方向（負方向）のそれぞれのヒストグラムを絶対値化することにより、正方向のズーム速度の操作量領域と、負方向のズーム速度の操作量領域を対称的に設定する。
【００４７】
図１１において、まず、操作量検出回路１２０が、操作手段１１０の操作量を読み取る（ステップＳ４１）。次に、ズーム速度算出回路１２２が変倍速度を操作量より得られる値と前回更新された速度エリアに基づいて決定する（ステップＳ４２）。次に、アクチュエータ１３２を選択された駆動速度により動作させる（ステップＳ４３）。次に、操作量の絶対値を算出する（ステップＳ４４）。次に、選択された速度をヒストグラムに反映させ、ヒストグラムを演算及び更新する（ステップＳ４５）。次に、得られた上記ヒストグラムの速度の頻度の大小を判定する（ステップＳ４６）。次に、ヒストグラム頻度の大小判定結果に基づき、速度エリアの閾値を変更する（ステップＳ４７）。これにより、操作手段１１０の操作量に対する変倍速度の特性が変化する。本実施例ではヒストグラムは符号がなく、例えば、図１２に示すズーム速度の絶対値選択頻度が得られる。従って、図４に示すグラフは、横軸に示す操作量の分割が正方向と負方向にて対称になる。
【００４８】
以上、本発明の好ましい実施形態について説明したが、本発明はこれらの実施形態に限定されず、その要旨の範囲内で種々の変更及び変形が可能である。
【図面の簡単な説明】
【００４９】
【図１】本発明の第一の実施例による撮像装置の概略ブロック図である。
【図２】図１に示す撮像装置の操作手段の一例を示す図である。
【図３】図１に示す撮像装置の操作手段の別の例を示す図である。
【図４】図１に示す撮像装置において選択された変倍速度の頻度の例を示すヒストグラムである。
【図５】図４に示すヒストグラムに従って変更された操作量と変倍速度との関係を示す図である。
【図６】図１に示す撮像装置の動作を説明するためのフローチャートである。
【図７】本発明の第二の実施例による撮像装置の概略ブロック図である。
【図８】図７に示す撮像装置の動作を説明するためのフローチャートである。
【図９】本発明の第三の実施例による撮像装置の概略ブロック図である。
【図１０】本発明の第四の実施例による撮像装置の概略ブロック図である。
【図１１】本発明の第五の実施例による撮像装置の動作を説明するためのフローチャートである。
【図１２】図１１に示すフローチャートの結果形成される変倍速度選択頻度のヒストグラムの例である。
【図１３】従来の操作量とズーム速度との関係を表すヒストグラムの一例である。
【符号の説明】
【００５０】
１００                      撮像装置
１１０                      操作手段
１２０                      操作量検出回路
１２２、１２３              ズーム速度算出手段
１２４                      頻度算出回路
１２６                      リセットスイッチ
１２７、１２７Ａ            リセット回路
１２８                      メモリ
１２９                      取り付け検出手段
１３０                      駆動回路
１３２                      アクチュエータ
１３４                      レンズ個別情報格納用メモリ
１４０                      撮像レンズ
１４４                      コンバージョンレンズ
１５０                      ＣＣＤ
１５２                      信号処理回路
１５４                      記録手段
１６０                      記録操作スイッチ
【図１】
2005176014.tif 000003
【図２】
2005176014.tif 000004
【図３】
2005176014.tif 000005
【図４】
2005176014.tif 000006
【図５】
2005176014.tif 000007
【図６】
2005176014.tif 000008
【図７】
2005176014.tif 000009
【図８】
2005176014.tif 000010
【図９】
2005176014.tif 000011
【図１０】
2005176014.tif 000012
【図１１】
2005176014.tif 000013
【図１２】
2005176014.tif 000014
【図１３】
2005176014.tif 000015